(57)【要約】  【課題】工具などの特別の部材を用いずに簡単に、表紙体に綴じ具を簡単に取り付けたり取り外したりすることができる高性能な綴じ具の取付構造を提供する。  【解決手段】表紙体１の内面に配される綴じ具２を、手指を掛けて操作する綴じ具止め具３を用いて前記表紙体１に対して着脱可能に取り付けるようにした。【選択図】図３
2006035701.tif 000002
【特許請求の範囲】
【請求項１】
表紙体の内面に配される綴じ具を、手指を掛けて操作する綴じ具止め具を用いて前記表紙体に対して着脱可能に取り付けるようにした綴じ具の取付構造であって、
前記表紙体に、その厚み方向に貫通する取付孔を形成し、
前記綴じ具止め具に、当該綴じ具止め具を、前記表紙体と綴じ具とを挟持する挟持位置とそれらを取り付け又は取り外し可能な着脱可能位置とに手指を掛けて操作可能な手掛け操作部を設けるとともに、前記手掛け操作部を挟持位置に操作した際には、前記取付孔を利用して表紙体と綴じ具とをそれぞれ挟持する挟持状態を取り、着脱可能位置に操作した際には、前記取付孔を利用して表紙体および綴じ具を挟持することが解除される着脱可能状態を取り、且つ前記挟持状態または着脱可能状態のいずれの状態でも常に対向して配される一対の挟持部を設けたことを特徴とする綴じ具の取付構造。
【請求項２】
前記手掛け操作部が、表紙体の表面に対して直交する軸回りの回転操作によって、前記挟持位置と着脱可能位置とを取り得るように構成したものであることを特徴とする請求項１記載の綴じ具の取付構造。
【請求項３】
前記手掛け操作部が、手指で摘んで操作可能なものであることを特徴とする請求項１又は２記載の綴じ具の取付構造。
【請求項４】
前記手掛け操作部の表面に、操作する手指が滑ることを抑制するための滑り止め要素を形成していることを特徴とする請求項１乃至３いずれか記載の綴じ具の取付構造。
【請求項５】
前記綴じ具止め具が、別体を成し互いに着脱可能な外側止め具と内側止め具とを備えるとともに、前記外側止め具および内側止め具のうちいずれか一方に、前記一対の挟持部のうち一の挟持部を備え、他方に他の挟持部を備えるようにしたものであって、
前記外側止め具および内側止め具のうち少なくとも一方に、前記手掛け操作部を設けていることを特徴とする請求項１乃至４いずれか記載の綴じ具の取付構造。
【請求項６】
前記挟持状態において前記外側止め具と内側止め具とが離間することを防止し、且つ、前記着脱可能状態において前記外側止め具と内側止め具とが離間することを許容する離間防止手段を備えていることを特徴とする請求項５記載の綴じ具の取付構造。
【請求項７】
前記離間防止手段が、前記挟持状態において互いに当接することにより前記外側止め具と内側止め具とが離間することを防止し、且つ、前記着脱可能状態において互いに当接することを解除して前記外側止め具と内側止め具とが離間することを許容する当接部と被当接部とを備えるものであって、
前記当接部および被当接部のうちいずれか一方を前記外側止め具に設け、他方を前記内側止め具に設けたことを特徴とする請求項６記載の綴じ具の取付構造。
【請求項８】
前記当接部および被当接部のうち少なくとも一方を、前記手掛け操作部を、前記着脱可能位置から挟持位置へと操作するにつれて、前記当接部と被当接部とが緊締することを促すテーパ形状としていることを特徴とする請求項７記載の綴じ具の取付構造。
【請求項９】
前記外側止め具が、前記表紙体の外面側に配される基板部と、この基板部の内側表面から突出し前記取付孔に挿通される突出部とを備えるものであり、また、前記内側止め具が、前記手掛け操作部と、この手掛け操作部の裏面側から突出し且つ前記突出部に形成した嵌合穴に嵌合される嵌合軸とを備えるものであって、
前記当接部および被当接部のうちいずれか一方を、前記嵌合穴に連続させて形成し、他方を前記嵌合軸に連続させて形成していることを特徴とする請求項７又は８記載の綴じ具の取付構造。
【請求項１０】
前記取付孔に挿通される突出部を、それら互いの形状によって、取付孔への取付方向と直交する方向に回転不能に構成していることを特徴とする請求項９記載の綴じ具の取付構造。
【請求項１１】
前記綴じ具における前記取付孔と重合する少なくとも一部に、前記取付孔と連通し且つ前記突出部を挿通可能な連通部を形成するとともに、
この連通部に挿通される突出部を、それら互いの形状によって、連通部への取付方向と直交する方向に回転不能に構成していることを特徴とする請求項９又は１０記載の綴じ具の取付構造。
【請求項１２】
前記離間防止手段が、互いに螺合可能な雄ネジ部と雌ネジ部とを備えるものであって、
前記雄ネジ部および雌ネジ部のうちいずれか一方を前記外側止め具に設け、他方を前記内側止め具に設けていることを特徴とする請求項６記載の綴じ具の取付構造。
【請求項１３】
外側止め具と内側止め具とを着脱可能位置に係留すること、および、挟持位置に係留することを案内し得る、凹凸係合可能な凹部と凸部とからなる係留案内手段を具備するものであって、
前記外側止め具および内側止め具のいずれか一方が、凹部を備え、他方が、凸部を備えていることを特徴とする請求項５乃至１２いずれか記載の綴じ具の取付構造。
【請求項１４】
前記挟持状態における前記一対の挟持部間の寸法を、可変可能に構成していることを特徴とする請求項１乃至１３いずれか記載の綴じ具の取付構造。
【請求項１５】
表紙体に対して、その表紙体の内面に配される綴じ具を着脱可能に取り付けるための綴じ具止め具であって、
前記表紙体と綴じ具とを挟持する挟持位置とそれらを取り付け又は取り外し可能な着脱可能位置とに手指を掛けて操作可能な手掛け操作部と、
前記手掛け操作部を挟持位置に操作した際には、前記取付孔を利用して表紙体と綴じ具とをそれぞれ挟持する挟持状態を取り、着脱可能位置に操作した際には、前記取付孔を利用して表紙体および綴じ具を挟持することが解除される着脱可能状態を取り、且つ前記挟持状態または着脱可能状態のいずれの状態でも常に対向して配される一対の挟持部とを具備することを特徴とする綴じ具止め具。
【請求項１６】
表紙体と、この表紙体の内面に配される綴じ具と、前記表紙体に綴じ具を着脱可能に取り付けるための手指を掛けて操作する綴じ具止め具とを少なくとも備えるファイルであって、
前記表紙体が、その厚み方向に貫通するように形成した取付孔を具備し、
前記綴じ具止め具が、前記表紙体と綴じ具とを挟持する挟持位置とそれらを取り付け又は取り外し可能な着脱可能位置とに手指を掛けて操作可能な手掛け操作部と、前記手掛け操作部を挟持位置に操作した際には、前記取付孔を利用して表紙体と綴じ具とをそれぞれ挟持する挟持状態を取り、着脱可能位置に操作した際には、前記取付孔を利用して表紙体および綴じ具を挟持することが解除される着脱可能状態を取り、且つ前記挟持状態または着脱可能状態のいずれの状態でも常に対向して配される一対の挟持部とを具備することを特徴とするファイル。
【請求項１７】
請求項１乃至１４いずれか記載の綴じ具の取付構造を備える綴じ具止め具。
【請求項１８】
請求項１乃至１４いずれか記載の綴じ具の取付構造を適用したファイル。
【発明の詳細な説明】
【技術分野】
【０００１】
本発明は、表紙体の内面に配される綴じ具を、綴じ具止め具を用いて前記表紙体に対して着脱可能に取り付けるようにした綴じ具の取付構造、及び、その綴じ具の取付構造で用いられる綴じ具止め具、及び、綴じ具取付構造を適用したファイルに関するものである。
【背景技術】
【０００２】
従来から、ファイルの表紙体の内面に配する書類を綴じるための金具を、その表紙体から取り外せるように構成することにより、表紙体と綴じ具たる金具とを分別廃棄できるようにしたファイルが知られている。
【０００３】
具体的には、表紙体を構成する背表紙に対して取り付ける金具のベースの平板部に、爪と金具側長孔とを設けるとともに、背表紙の対応する位置に係合孔とファイル側長孔とをそれぞれ開設する一方、クリップを、頭部と脚部と、両者間に同軸的に設けられる首部とを具備するように形成する。そして、背表紙に金具を重ね、互いに整合する長孔に脚部を挿通し、頭部に設けられた溝に、工具を差し込んで略９０度回すことにより、頭部と脚部との間に、背表紙及び金具を挟持できるように構成されている（例えば、特許文献１参照。）。
【特許文献１】特開平９−１４２０７７号公報（第２〜３頁、第１図）
【発明の開示】
【発明が解決しようとする課題】
【０００４】
しかしながら、このようなものでは、表紙体に金具を取り付けるためには工具が必要であり、もし工具が手元にない場合には、表紙体と金具とを取り付けることができないといった問題点を有している。また、背表紙に、背紙やこれを保護するためのフィルムが設けられており、且つクリップの頭部が背表紙側に露出するような場合には、背表紙側から操作をすると工具が背紙やフィルムと干渉するため、工具を用いてクリップを取り付けることができない。すなわち、クリップの取付が表紙体の内面側からに限られるなど、作業方向が限られてしまうといった問題点を有している。
【０００５】
本発明は、このような課題に着目してなされたものであって、主たる目的は、工具などの特別の部材を用いずに簡単に、表紙体に綴じ具を取り付けたり取り外したりすることができ、しかも作業方向が制約されることのないといった綴じ具の取付構造を提供することにある。
【課題を解決するための手段】
【０００６】
すなわち、本発明の綴じ具の取付構造は、表紙体の内面に配される綴じ具を、手指を掛けて操作する綴じ具止め具を用いて前記表紙体に対して着脱可能に取り付けるようにした綴じ具の取付構造であって、前記表紙体に、その厚み方向に貫通する取付孔を形成し、前記綴じ具止め具に、当該綴じ具止め具を、前記表紙体と綴じ具とを挟持する挟持位置とそれらを取り付け又は取り外し可能な着脱可能位置とに手指を掛けて操作可能な手掛け操作部を設けるとともに、前記手掛け操作部を挟持位置に操作した際には、前記取付孔を利用して表紙体と綴じ具とをそれぞれ挟持する挟持状態を取り、着脱可能位置に操作した際には、前記取付孔を利用して表紙体および綴じ具を挟持することが解除される着脱可能状態を取り、且つ前記挟持状態または着脱可能状態のいずれの状態でも常に対向して配される一対の挟持部を設けたことを特徴とする。
【０００７】
このようなものであれば、表紙体と綴じ具とを挟持する挟持位置とそれらを取り付け又は取り外し可能な着脱可能位置とに手指を掛けて操作可能な手掛け操作部を操作するだけで、表紙体に形成した取付孔を利用して挟持状態と着脱可能状態とを取る一対の挟持部を、それら挟持状態および着脱可能状態のいずれかの状態にすることができる。
【０００８】
そして、一対の挟持部を、挟持状態または着脱可能状態のいずれの状態でも常に対向して配すべく、例えば、回転動作によって、挟持状態から着脱可能状態に位置付けるようにしたものであれば、挟持状態においてのみ対向して配されるようにした、例えば、スライド移動によって、挟持状態から着脱可能状態に位置付けるようにしたものと比べ、大量の用紙を綴じ具に綴じた際に、その自重が綴じ具に加わった場合でも、綴じ具が表紙体から不意に外れてしまうことを好適に抑制することができる。
【０００９】
すなわち、工具などの特別の部材を用いずに簡単に、表紙体に綴じ具を簡単に取り付けたり取り外したりすることができるといった高性能な綴じ具の取付構造を提供することができる。
【００１０】
誰にでも簡単に操作できるようにするには、前記手掛け操作部が、表紙体の表面に対して直交する軸回りの回転操作によって、前記挟持位置と着脱可能位置とを取り得るように構成したものであることが望ましい、このとき、前記手掛け操作部が、手指で摘んで操作可能なものであれば、その効果は顕著になる。
【００１１】
また、前記手掛け操作部の表面に、操作する手指が滑ることを抑制するための滑り止め要素を形成しているものであれば、滑り止め要素によって操作時に手指が滑ることが抑制される上、例えば、滑り止め要素を形成していない場合と比べて手掛け操作部に無用に操作力を加える必要がないので、使い勝手が良い。
【００１２】
本発明の望ましい態様としては、前記綴じ具止め具が、別体を成し互いに着脱可能な外側止め具と内側止め具とを備えるとともに、前記外側止め具および内側止め具のうちいずれか一方に、前記一対の挟持部のうち一の挟持部を備え、他方に他の挟持部を備えるようにしたものであって、前記外側止め具および内側止め具のうち少なくとも一方に、前記手掛け操作部を設けているものが挙げられる。
【００１３】
また、外側止め具と内側止め具とが、不意に外れてしまうことを防止するためには、前記挟持状態において前記外側止め具と内側止め具とが離間することを防止し、且つ、前記着脱可能状態において前記外側止め具と内側止め具とが離間することを許容する離間防止手段を備えていることが望ましい。
【００１４】
具体的な離間防止手段の態様としては、この離間防止手段が、前記挟持状態において互いに当接することにより前記外側止め具と内側止め具とが離間することを防止し、且つ、前記着脱可能状態において互いに当接することを解除して前記外側止め具と内側止め具とが離間することを許容する当接部と被当接部とを備えるものであって、前記当接部および被当接部のうちいずれか一方を前記外側止め具に設け、他方を前記内側止め具に設けたものが挙げられる。
【００１５】
また、前記当接部および被当接部のうち少なくとも一方を、前記手掛け操作部を、前記着脱可能位置から挟持位置へと操作するにつれて、前記当接部と被当接部とが緊締することを促すテーパ形状としているものであれば、外側止め具と内側止め具とを確実に挟持状態にすることができる。
【００１６】
ところで、前記外側止め具が、前記表紙体の外面側に配される基板部と、この基板部の内側表面から突出し前記取付孔に挿通される突出部とを備えるものであり、また、前記内側止め具が、前記手掛け操作部と、この手掛け操作部の裏面側から突出し且つ前記突出部に形成した嵌合穴に嵌合される嵌合軸とを備えるものであって、前記当接部および被当接部のうちいずれか一方を、前記嵌合穴に連続させて形成し、他方を前記嵌合軸に連続させて形成しているものであれば、簡単な構成でありながらも、外側止め具と内側止め具とを確実に取り付けることができる。
【００１７】
また、外側止め具が、表紙体に対して無用に回転することを防止するには、前記取付孔に挿通される突出部を、それら互いの形状によって、取付孔への取付方向と直交する方向に回転不能に構成していることが望ましい。
【００１８】
また、外側止め具が、綴じ具に対して無用に回転することを防止するには、前記綴じ具における前記取付孔と重合する少なくとも一部に、前記取付孔と連通し且つ前記突出部を挿通可能な連通部を形成するとともに、この連通部に挿通される突出部を、それら互いの形状によって、連通部への取付方向と直交する方向に回転不能に構成していることが好ましい。
【００１９】
具体的な離間防止手段の他の態様としては、この離間防止手段が、互いに螺合可能な雄ネジ部と雌ネジ部とを備えるものであって、前記雄ネジ部および雌ネジ部のうちいずれか一方を前記外側止め具に設け、他方を前記内側止め具に設けているものが挙げられる。
【００２０】
外側止め具と内側止め具とを着脱可能位置に係留すること、および、挟持位置に係留することを案内し得る、凹凸係合可能な凹部と凸部とからなる係留案内手段を具備するものであって、前記外側止め具および内側止め具のいずれか一方が、凹部を備え、他方が、凸部を備えているものであれば、外側止め具と内側止め具とを、着脱可能位置または挟持位置に安定して係留することができ、操作し易い。
【００２１】
なお、表紙体や綴じ具の厚みが変わっても、好適に対応し得るようにするには、前記挟持状態における前記一対の挟持部間の寸法を、可変可能に構成していることが好ましい。
【００２２】
また、本発明の綴じ具止め具の望ましい態様としては、表紙体に対して、その表紙体の内面に配される綴じ具を着脱可能に取り付けるための綴じ具止め具であって、前記表紙体と綴じ具とを挟持する挟持位置とそれらを取り付け又は取り外し可能な着脱可能位置とに手指を掛けて操作可能な手掛け操作部と、前記手掛け操作部を挟持位置に操作した際には、前記取付孔を利用して表紙体と綴じ具とをそれぞれ挟持する挟持状態を取り、着脱可能位置に操作した際には、前記取付孔を利用して表紙体および綴じ具を挟持することが解除される着脱可能状態を取り、且つ前記挟持状態または着脱可能状態のいずれの状態でも常に対向して配される一対の挟持部とを具備するものが挙げられる。
【００２３】
また、本発明のファイルの望ましい態様としては、表紙体と、この表紙体の内面に配される綴じ具と、前記表紙体に綴じ具を着脱可能に取り付けるための手指を掛けて操作する綴じ具止め具とを少なくとも備えるファイルであって、前記表紙体が、その厚み方向に貫通するように形成した取付孔を具備し、前記綴じ具止め具が、前記表紙体と綴じ具とを挟持する挟持位置とそれらを取り付け又は取り外し可能な着脱可能位置とに手指を掛けて操作可能な手掛け操作部と、前記手掛け操作部を挟持位置に操作した際には、前記取付孔を利用して表紙体と綴じ具とをそれぞれ挟持する挟持状態を取り、着脱可能位置に操作した際には、前記取付孔を利用して表紙体および綴じ具を挟持することが解除される着脱可能状態を取り、且つ前記挟持状態または着脱可能状態のいずれの状態でも常に対向して配される一対の挟持部とを具備するものが挙げられる。
【発明の効果】
【００２４】
以上説明したように本発明の綴じ具の取付構造によれば、表紙体と綴じ具とを挟持する挟持位置とそれらを取り付け又は取り外し可能な着脱可能位置とに手指を掛けて操作可能な手掛け操作部を操作するだけで、表紙体に形成した取付孔を利用して挟持状態と着脱可能状態とを取る一対の挟持部を、それら挟持状態および着脱可能状態のいずれかの状態にすることができる。
【００２５】
すなわち、工具などの特別の部材を用いずに簡単に、表紙体に綴じ具を簡単に取り付けたり取り外したりすることができるといった高性能な綴じ具の取付構造を提供することができる。
【発明を実施するための最良の形態】
【００２６】
以下、本発明の一実施形態を、図面を参照して説明する。
【００２７】
本発明に係るファイルＦは、図１、図２、図３、図４に示すように、表紙体１と、前記表紙体１の内面に配される綴じ具２と、前記綴じ具２を前記表紙体１に着脱可能に取り付けるための外側止め具３１と内側止め具３２とからなる綴じ具止め具３とを具備するものである。なお、本実施形態では、前記表紙体１の背側に設けた透明フィルムと表紙体１との間に、背紙を配し得るようにしているが、説明の便宜上、これら透明フィルムと背紙とを図示することを省略している。
【００２８】
以下、各部を詳述する。
【００２９】
表紙体１は、背表紙１１と、図１、図２、図３、図４に示すように、この背表紙１１の両側縁に連続して設けた表表紙１２および裏表紙１３とを備えるものであって、これら各部を、適度な剛性を有する１枚のボール紙により一体に形成している。ここで、「適度な剛性を有する」とは、背表紙１１が綴じ具２の固定に耐え得る程度の剛性を有するとともに、表表紙１２および裏表紙１３が使用時に容易に折れ曲がらない程度の剛性を有することを言う。
【００３０】
また、背表紙１１には、その厚み方向に貫通する取付孔１１ａを形成している。この取付孔１１ａは、四隅を部分円弧状にした平面視略矩形状のものである。
【００３１】
綴じ具２は、図３等に示すように、金属製のベース部材２１と、このベース部材２１の両側縁にそれぞれ対向状態で着脱可能に取り付けられる対を成す金属製の綴じ部２２ｘ、２２ｙとを具備するものである。
【００３２】
以下、具体的に各部を説明すると、ベース部材２１は、主として綴じ部２２ｘ、２２ｙを保持する機能を発揮する厚肉部２１１と、この厚肉部２１１の上下側に配され主として表紙体１への取付に利用される薄肉部２１２とを備えてなる。
【００３３】
より具体的には、厚肉部２１１は、内包する弾性部材（図示せず）を利用して綴じ部２２ｘ、２２ｙを着脱可能に保持する保持部２１１ｍと、この保持部２１１ｍを、当該保持部２１１ｍから綴じ部２２ｘ、２２ｙを取り外し不能な状態あるいは、取り外し及び取付可能な状態にすべく手指で操作される綴じ部着脱操作部２１１ｓとを備えるものである。また、薄肉部２１２には、前記取付孔１１ａと重合する部分に、前記取付孔１１ａと連通する連通部２１２ａを形成している。この連通部２１２ａと、前記取付孔１１ａに挿通された外側止め具３１の突出部３１２とが、表紙体１と綴じ具２との相対的な平行移動を規制する規制手段としての機能を発揮する。また、この取付孔１１ａに挿通された後述する外側止め具３１の突出部３１２と、綴じ具２の連通部２１２ａとが、表紙体１と綴じ具２との取付位置を案内する取付位置案内手段としての機能を発揮する。
【００３４】
綴じ部２２ｘ、２２ｙは、一方の綴じ部２２ｘがその対向面から突設した一対の綴じ杆２２ｘ１を備え、且つ、他方の綴じ部２２ｙがその対向面から突設した綴じパイプ２２ｙ１を備えるものであって、紙葉類の綴じ孔を、綴じパイプ２２ｙ１に差し込み、この状態の綴じパイプ２２ｙ１に対して綴じ杆２２ｘ１を嵌入することにより、紙葉類を、対を成す綴じ部２２ｘ、２２ｙの間に綴じ込むことができる。
【００３５】
綴じ具止め具３は、図３、図５等に示すように、表紙体１をその外面側から挟持し得るようにした外側止め具３１と、表紙体１の内面に配され綴じ具２を挟持し得るようにした内側止め具３２とからなり、これら外側止め具３１と内側止め具３２とを着脱可能に構成している。
【００３６】
以下、具体的に各部を説明すると、外側止め具３１は、図５、図６等に示すように、表紙体の外面側に配される外側挟持部３１１と、この外側挟持部３１１の内側表面から突出し表紙体１の取付孔１１ａに挿通される突出部３１２と、後述する内側止め具３２の被当接部３２３に当接し得る当接部３１３とを具備するものであって、これら各部を合成樹脂により一体に形成してなる。
【００３７】
外側挟持部３１１は、平面視略矩形状をなす薄板状のものであって、後述する内側止め具３２の内側挟持部３２１１とともに一対の挟持部として機能する。なお、本実施形態では、この外側挟持部３１１の各辺の寸法３ｄを、前記綴じ具２の薄肉部２１２の幅寸法２１ｄと略一致させている（図４、図６参照）。なお、本実施形態では、この外側挟持部３１１に、当接部３１３と平面視重合する位置に、貫通孔３１１ａを設けている。この貫通孔３１１ａにより、当該外側止め具３１を成形する金型が無用に複雑になることを防止できる。また、この貫通孔３１１ａを利用して、外側止め具３１と内側止め具３２とが、後述する挟持状態Ｔ２にあるのか、着脱可能状態Ｔ１にあるのかを知ることができる。具体的には、表紙体１の背側から外側止め具３１を見た際に、外側止め具３１の貫通孔３１１ａから後述する内側止め具３２の被当接部３２３を覗き見ることができる場合には、外側止め具３１と内側止め具３２とが挟持状態Ｔ２にあると判断できる一方、貫通孔３１１ａからその被当接部３２３を覗き見ることができなければ、着脱可能状態Ｔ１にあると判断できる。すなわち、貫通孔３１１ａと被当接部３２３とが、外側止め具３１と内側止め具３２とが挟持状態Ｔ２にあるか着脱可能状態Ｔ１にあるかの判断に有用な状態判断手段としての機能を発揮する。
【００３８】
突出部３１２は、平面視した際にその外縁において四隅を部分円弧状にした略矩形状を有し、且つ、中央に断面略円形状の嵌合穴３１２ａを備えた略枠体状のものである。
【００３９】
なお、本実施形態では、この嵌合穴３１２ａには、その高さ方向に沿って延びる溝状の凹部３１２ａ１を、略９０度間隔で４つ形成してある。この凹部３１２ａ１は、後述する内側止め具３２の凸部３２３１と凹凸係合し得るものであって、これら凹部３１２ａ１と凸部３２３１とが、外側止め具３１と内側止め具３２とを着脱可能位置Ｐ１に係留すること、および、挟持位置Ｐ２に係留することを案内する係留案内手段ＭＡとしての機能を発揮する。
【００４０】
当接部３１３は、前記突出部３１２の開口において嵌合穴３１２ａを閉塞する向きに、その突出部３１２から突出し、平面視略部分円弧状を有するものであって、前記外側挟持部３１１の対向する二隅と対応する２箇所に１個ずつ計２個設けられてなる。この当接部３１３と、後述する内側止め具３２の被当接部３２３とが、前記挟持状態Ｔ２において前記外側止め具３１と内側止め具３２とが離間することを防止し、且つ、前記着脱可能状態Ｔ１において前記外側止め具３１と内側止め具３２とが離間することを許容する離間防止手段Ｍ０としての機能を発揮する。
【００４１】
内側止め具３２は、図５、図７等に示すように、手掛け操作部３２１と、この手掛け操作部３２１の裏面側から突出し且つ外側止め具３１の嵌合穴３１２ａに嵌合される嵌合軸３２２と、外側止め具３１の当接部３１３に当接し得る被当接部３２３とを具備するものであって、これら各部を合成樹脂により一体に形成してなる。
【００４２】
手掛け操作部３２１は、平面視略矩形状の内側挟持部３２１１と、この内側挟持部３２１１から側面視各部等断面の略山型形状を有するように隆起させた摘み部３２１２とを具備してなる。なお、本実施形態では、この摘み部３２１２の表面に、操作する手指が滑ることを防止するためのヘアライン状の滑り止め要素３２１ｓを形成しているが、これに限らず、滑り止め要素３２１ｓを例えば半球状の突起体とし、これを複数備えるようにしてもよい。
【００４３】
嵌合軸３２２は、略円柱状のものであって、その直径３２２ｄを、外側止め具３１の当接部３１３間の寸法３１３ｄと略一致させている。
【００４４】
被当接部３２３は、前記嵌合軸３２２の直径よりも拡径させた平面視略部分円弧状を有するものであって、前記内側挟持部３２１１の対向する二隅と対応する２箇所に１個ずつ計２個設けられてなる。さらに、本実施形態では、各被当接部３２３には、径方向にさらに突出するように形成した略突条をなす凸部３２３１を設けている。
【００４５】
以上のように構成される綴じ具２の取付構造を適用したファイルＦについて、その使用方法を以下に説明する。
【００４６】
（１）綴じ具２の取付方法の一例。
【００４７】
なお、内側止め具３２を操作する方向には「時計回り」と「反時計回り」とがあるが、いずれの方向に操作しても同様の作用効果を得られるので、ここでは、「時計回り」のみについて説明を行う。
【００４８】
まず、外側止め具３１を表紙体１の外面側に位置付け、次に、外側止め具３１の突出部３１２を表紙体１の取付孔１１ａに挿通し、外側止め具３１を、着脱可能位置Ｐ１に位置付ける。
【００４９】
次に、着脱可能位置Ｐ１にある外側止め具３１に、表紙体１の内側から内側止め具３２を取り付け、図８（ａ）に示す着脱可能状態Ｔ１にする。具体的には、表紙体１の取付孔１１ａから表紙体１の内面側に突出している外側止め具３１の当接部３１３に対して、その当接部３１３を避けるように内側止め具３２の被当接部３２３を位置付ける。
【００５０】
この着脱可能位置Ｐ１では、凹部３１２ａ１と凸部３２３１とが、外側止め具３１と内側止め具３２とを、着脱可能位置Ｐ１に係留することを案内する係留案内手段ＭＡとしての機能を発揮する。
【００５１】
そして、内側止め具３２の被当接部３２３を、外側止め具３１の嵌合穴３１２ａ内にさらに挿入し、時計回りに回転させると、凹部３１２ａ１と凸部３２３１との凹凸係合が解除されて、被当接部３２３を挟持位置Ｐ２に位置付けることができ、図８（ｂ）に示す挟持状態Ｔ２になる。
【００５２】
そうすると、挟持位置Ｐ２に位置付けた内側止め具３２の被当接部３２３を、内側止め具３２の嵌合軸３２２を外側止め具３１の嵌合穴３１２ａから引き抜く向きに力を加えても、図９（ｂ）に示すように、この被当接部３２３は、外側止め具３１の当接部３１３と当接するので、内側止め具３２と外側止め具３１とが離間することはない。すなわち、挟持位置Ｐ２において、内側止め具３２の内側挟持部３２１１と外側止め具３１の外側挟持部３１１とによって、綴じ具２と表紙体１とを確実に挟持することができる。
【００５３】
また、この挟持位置Ｐ２では、凹部３１２ａ１と凸部３２３１とが、凹凸係合し、外側止め具３１と内側止め具３２とを、挟持位置Ｐ２に係留することを案内する係留案内手段ＭＡとしての機能を発揮する。
【００５４】
なお、外側止め具３１の取付孔１１ａへの取り付けは、本実施形態の取付状態からさらに±９０度回転した状態でも取り付けることができる。
【００５５】
（２）綴じ具２の取り外し方法の一例。
【００５６】
綴じ具２を、表紙体１から取り外す場合には、図８（ｂ）に示す挟持位置Ｐ２にある内側止め具３２を、時計回転あるいは反時計回転に回転させて、図８（ａ）に示す着脱可能位置Ｐ１に位置付けると、図９（ａ）に示すように、外側止め具３１の当接部３１３と内側止め具３２の被当接部３２３との当接が解除されるので、外側止め具３１と内側止め具３２とを取り外せば、綴じ具２を表紙体１から取り外すことができる。
【００５７】
このように、本実施形態に係る綴じ具２の取付構造を適用したファイルＦによれば、着脱可能位置Ｐ１にある手掛け操作部３２１に手指を掛け、この手掛け操作部３２１を挟持位置Ｐ２に操作することにより外側挟持部３１１と内側挟持部３２１１とを挟持状態Ｔ２にして、これら外側挟持部３１１と内側挟持部３２１１とによって前記綴じ具２と表紙体１とを取り外し不能に挟持する一方、挟持位置Ｐ２にある手掛け操作部３２１を着脱可能位置Ｐ１に操作することにより外側挟持部３１１と内側挟持部３２１１とを着脱可能状態Ｔ１にして、綴じ具２を表紙体１から取り外すことができる。
【００５８】
そして、外側挟持部３１１と内側挟持部３２１１とを、挟持状態Ｔ２または着脱可能状態Ｔ１のいずれの状態でも常に対向して配すべく、例えば、回転動作によって、挟持状態Ｔ２から着脱可能状態Ｔ１に位置付けるようにしているので、挟持状態においてのみ対向して配されるようにした、例えば、スライド移動によって、挟持状態から着脱可能状態に位置付けるようにしたものと比べ、大量の用紙を綴じ具２に綴じた際に、その自重が綴じ具に加わった場合でも、綴じ具２が表紙体１から不意に外れてしまうことを好適に抑制することができる。
【００５９】
すなわち、工具などの特別の部材を用いずに簡単に、表紙体１に綴じ具２を簡単に取り付けたり取り外したりすることができるといった高性能な綴じ具２の取付構造を提供することができる。
【００６０】
手掛け操作部３２１が、表紙体１の表面に対して直交する軸回りの回転操作によって、前記挟持位置Ｐ２と着脱可能位置Ｐ１とを取り得るように構成したものであり、さらに、前記手掛け操作部３２１に、手指で摘んで操作可能な摘み部３２１２を設けるようにしたので、誰にでも非常に簡単に操作することができる。
【００６１】
また、前記手掛け操作部３２１の表面に、操作する手指が滑ることを抑制するための滑り止め要素３２１ｓを形成したため、滑り止め要素３２１ｓによって操作時に手指が滑ることが抑制される上、例えば、滑り止め要素３２１ｓを形成していない場合と比べて手掛け操作部３２１に無用に操作力を加える必要がないので、使い勝手が良い。
【００６２】
また、綴じ具止め具３が、別体を成し互いに着脱可能な外側止め具３１と内側止め具３２とを備えるとともに、前記外側止め具３１に外側挟持部３１１を備える一方、内側止め具３２に内側挟持部３２１１を備えるようにしたものであり、また、内側止め具３２に手掛け操作部３２１を設けるようにしたので、例えば、外側止め具３１と内側止め具３２との素材を別個のものに容易にできる等、設計自由度が向上する。
【００６３】
また、外側止め具３１に設けた当接部３１３と内側止め具３２に設けた被当接部３２３とから構成され、前記挟持状態Ｔ２において前記外側止め具３１と内側止め具３２とが離間することを防止し、且つ、前記着脱可能状態Ｔ１において前記外側止め具３１と内側止め具３２とが離間することを許容する離間防止手段Ｍ０を備えるようにしたので、外側止め具３１と内側止め具３２とが、不意に外れてしまうことを防止することができる。
【００６４】
ところで、前記外側止め具３１が、前記表紙体１の外面側に配される外側挟持部３１１と、この外側挟持部３１１の内側表面から突出し前記取付孔に挿通される突出部３１２とを備えるものであり、また、前記内側止め具３２が、前記手掛け操作部３２１と、この手掛け操作部３２１の裏面側から突出し且つ前記突出部３１２に形成した嵌合穴３１２ａに嵌合される嵌合軸３２２とを備えるものであって、当接部３１３を前記嵌合穴３１２ａに連続させて形成し、被当接部３２３を前記嵌合軸３２２に連続させて形成しているので、簡単な構成でありながらも、外側止め具３１と内側止め具３２とを確実に取り付けることができる。
【００６５】
前記取付孔１１ａに挿通される突出部３１２を、それら互いの形状によって、取付孔１１ａへの取付方向と直交する方向に回転不能に構成しているので、外側止め具３１が、表紙体１に対して無用に回転することを防止できる。
【００６６】
外側止め具３１に設けた凹部３１２ａ１と、内側止め具３２に設けた凸部３２３１とが凹凸係合して、これら外側止め具３１と内側止め具３２とを着脱可能位置Ｐ１に係留すること、および、挟持位置Ｐ２に係留することを案内し得る、係留案内手段ＭＡとしての機能を発揮するので、外側止め具３１と内側止め具３２とを、着脱可能位置Ｐ１または挟持位置Ｐ２に安定して係留することができ、操作し易い。
【００６７】
前記綴じ具２における前記取付孔１１ａと重合する少なくとも一部に、前記取付孔１１ａと連通し且つ前記突出部３１２を挿通可能な連通部２１２ａを形成するとともに、この連通部２１２ａに挿通される突出部３１２を、それら互いの形状によって、連通部２１２ａへの取付方向と直交する方向に回転不能に構成しているので、外側止め具３１が、綴じ具２に対して無用に回転することを防止することができる。
【００６８】
なお、本発明は、以上に詳述した実施形態に限られるものではない。
【００６９】
例えば、前記当接部３１３および被当接部３２３のうち少なくとも一方を、前記手掛け操作部３２１を、前記着脱可能位置Ｐ１から挟持位置Ｐ２へと操作するにつれて、前記当接部３１３と被当接部３２３とが緊締することを促すテーパ形状としてもよい。このように構成すれば、挟持位置Ｐ２において、外側止め具３１と内側止め具３２とが離間することを効果的に防止しつつ、着脱可能位置Ｐ１において、外側止め具３１と内側止め具３２とを簡単に離間することができる。
【００７０】
また、互いに螺合可能な雄ネジ部および雌ネジ部のうちいずれか一方を外側止め具３１に設け、他方を内側止め具３２に設けるようにし、これら雄ネジ部と雌ネジ部とが、離間防止手段としての機能を発揮するようにしてもよい。
【００７１】
手掛け操作部３２１の形状も、本実施形態のものに限られず、例えば、図１０（ａ）、（ｂ）に示すように、平面視した際にクロスするように配される２つの摘み部３２１２を、内側挟持部３２１１から隆起させても良い。また、本実施形態のように内側挟持部３２１１から摘み部３２１２を隆起させずに、図１０（ｃ）に示すように、内側挟持部３２１１に窪み部３２ｋを形成し、これら内側挟持部３２１１と窪み部３２ｋとが手掛け操作部３２１を構成するようにしても良い。この場合には、窪み部３２ｋに手指を押し当てながら回転させれば、本実施形態の手掛け操作部３２１と同様に操作することができる。また、このとき窪み部３２ｋを、内側挟持部３２１１の厚み方向に貫通させた孔３２１０におけるテーパ状の開口に設けているが、例えば、内側挟持部３２１１には孔を設けず、内側挟持部３２１１の表面を略椀状に窪ませた部位に設けても良い。さらに、図１０（ｄ）に示すように、内側挟持部３２１１の形状を平面視略十字形状を有するように構成し、これを手掛け操作部としてもよい。
【００７２】
さらに、内側止め具３２を構成する嵌合軸３２２や被当接部３２３の形状および、外側止め具３１を構成する外側挟持部３１１や突出部３１２や当接部３１３の形状も本実施形態に限られるものではない。
【００７３】
また、外側止め具３１に凹部３１２ａ１を設ける一方、内側止め具３２に凸部３２３１を設けているが、外側止め具３１に凸部を設け、内側止め具３２に凹部を設けるようにして本実施形態と同様の作用効果を得られる。加えて、凹部及び凸部の形状も、凹凸係合可能なものであれば、本実施形態のものに限定されることは無い。
【００７４】
また、外側止め具３１と内側止め具３２とを、例えば、嵌合軸３２２にその径方向に突出するように設けた突部と、嵌合軸３２２との弾性変形を利用した圧接により、着脱可能状態Ｔ１と挟持状態Ｔ２とを取るようにしてもよい。このように構成すれば、外側挟持部３１１と内側挟持部３２１１とを、着脱可能状態Ｔ１と挟持状態Ｔ２とにおいて、それぞれ対向して配したまま、互いに分離せずに留まらせることができる。
【００７５】
すなわち、上述の実施形態で説明したような外側止め具３１と内側止め具３２とを取り付ける操作と、手掛け操作部３２１の回転操作との２段階のアクションを必要とするものに替えて、内側止め具３２を外側止め具３１に押し込んで操作する１アクションのプッシュ式のものとしても、表紙体１と綴じ具２とを分別する操作時に、綴じ具止め具３が、着脱可能状態Ｔ１にあっても、表紙体１と綴じ具２とが不意に外れることを防止できるし、挟持状態Ｔ２にあっても、表紙体１と綴じ具２とが不意に外れることを防止できる。無論、上述した２アクションの方が、各止め具３１、３２を確実に挟持位置Ｔ２に留まらせられることは述べるまでも無い。
【００７６】
このような簡単な構成で、手掛け操作部３２１で綴じ具止め具３を１アクションで操作して、着脱可能状態Ｔ１および挟持状態Ｔ２にすることができる。
【００７７】
そして、前記１アクションで操作可能な取付構造を備えたファイルＦを立てた場合を想定すると、この場合には、綴じ具止め具３に対して綴じ具２の荷重が加わるが、この荷重の方向は、下向き方向であり、外側挟持部３１１と内側挟持部３２１１とを着脱可能状態Ｔ１又は挟持状態Ｔ２にする操作方向と不一致であるので、綴じ具２の荷重により、外側止め具３１と内側止め具３２とが外れてしまうことは無い。
【００７８】
すなわち、外側挟持部３１１と内側挟持部３２１１とを、挟持状態Ｔ２または着脱可能状態Ｔ１のいずれの状態でも常に対向して配するようにさえ構成すれば、ファイルＦを立て使用した場合にも、外側止め具３１と内側止め具３２とが外れてしまうことを好適に抑制できるといった高機能な綴じ具２の取付構造を実現できる。
【００７９】
ところで、綴じ具２を構成するベース部材２１と綴じ部２２ｘ、２２ｙとを両方とも金属製のものとしているが、これに限られず、例えば、ベース部材２１および綴じ部２２ｘ、２２ｙのうちいずれか一方または両方を合成樹脂製のものとするなど、各部の素材は適宜変更可能である。
【００８０】
また、ベース部材２１と綴じ部２２ｘ、２２ｙとを取り外し不能なものとしてもよい。
【００８１】
また、綴じ具止め具３を、合成樹脂製のものとしているが、一部または全部を金属製のものとするなど、この綴じ具止め具３を構成する素材は適宜変更可能である。
【００８２】
また、連通部２１２ａの形状も本実施形態のものに限らず、例えば、薄肉部２１２の端縁から連続して切り欠いた形状にしてもよい。
【００８３】
その他、各部の具体的構成についても上記実施形態に限られるものではなく、本発明の趣旨を逸脱しない範囲で種々変形が可能である。
【図面の簡単な説明】
【００８４】
【図１】本発明の一実施形態に係る綴じ具の取付構造を適用したファイルを示す全体斜視図（表表紙と裏表紙とを開けず、表紙体の背側から見たとき）。
【図２】同実施形態におけるファイルを示す全体斜視図（表表紙と裏表紙とを開け、表紙体の内面から見たとき）。
【図３】同実施形態におけるファイルを示す分解斜視図。
【図４】同実施形態におけるファイルを示す平面図。
【図５】同実施形態における外側止め具と内側止め具とを離間させた状態と組み付けた状態とにして示す全体斜視図。
【図６】同実施形態における外側止め具を示す平面図、側面図、底面図、端面図。
【図７】同実施形態における内側止め具を示す正面図、平面図、側面図、底面図。
【図８】同実施形態における綴じ具止め具の取り付け及び取り外し手順を説明するための図。
【図９】同実施形態における取付要部の構造断面図。
【図１０】本発明の他の実施形態に係る手掛け操作部を示す斜視図。
【符号の説明】
【００８５】
Ｆ・・・・・・・ファイル
Ｍ０・・・・・・離間防止手段
ＭＡ・・・・・・係留案内手段
Ｐ１・・・・・・着脱可能位置
Ｐ２・・・・・・挟持位置
Ｔ１・・・・・・着脱可能状態
Ｔ２・・・・・・挟持状態
１・・・・・・・表紙体
３・・・・・・・綴じ具止め具
１１ａ・・・・・取付孔
３１・・・・・・外側止め具
３２・・・・・・内側止め具
２１２ａ・・・・連通部
３１１・・・・・外側挟持部
３１２・・・・・突出部
３１２ａ・・・・嵌合穴
３１２ａ１・・・凹部
３１３・・・・・当接部
３２１・・・・・手掛け操作部
３２１ｓ・・・・滑り止め要素
３２２・・・・・嵌合軸
３２３・・・・・被当接部
３２１１・・・・内側挟持部
３２３１・・・・凸部
【図１】
2006035701.tif 000003
【図２】
2006035701.tif 000004
【図３】
2006035701.tif 000005
【図４】
2006035701.tif 000006
【図５】
2006035701.tif 000007
【図６】
2006035701.tif 000008
【図７】
2006035701.tif 000009
【図８】
2006035701.tif 000010
【図９】
2006035701.tif 000011
【図１０】
2006035701.tif 000012